(57)【特許請求の範囲】
【請求項１】
物品を載せる移動台が浴槽の側壁外面と該側壁外面に連続した壁面の２面に跨って予め設定した移動路に沿って移動可能となしてあり、該移動路は互いに離隔して設置してある複数の水栓にまたがって設けてあることを特徴とする浴室。
【請求項２】
請求項１において、前記移動路に沿って溝が形成してあり、該溝に沿って前記移動台が移動可能となしてあることを特徴とする浴室。
【請求項３】
請求項１，２の何れかにおいて、前記移動台が洗面器台であることを特徴とする浴室。
【発明の詳細な説明】
【０００１】
【発明の属する技術分野】
この発明は浴室に関し、詳しくは物品を載せる移動台を備えた浴室に関する。
【０００２】
【発明の背景】
浴室には洗面器，シャンプー及び石鹸等様々な物品が置かれてあるが、従来にあってはこれら物品はカウンター等固定の台の上に或いは床の上に直接置いてあることが多い。
従ってそれら物品の置いてある位置の近くで各種物品を使用する場合には良いが、浴室内の離れた位置でこれらを使用する際には、必要な物品を近くまで持って来て使用しなければならず、また使用し終わった後にこれを元の位置に戻しておかなければならないといった面倒があった。
【０００３】
更に浴槽内でシャワーを浴びながら洗髪したりボデー洗いをしたりする際などに、シャンプーや石鹸等が遠い位置にあるために同作業がし辛かったり、或いは浴槽内に浸かりながらトレーの上に飲み物をおいてこれを楽しんだりしようとしても、トレーそのものがなかったり或いはあったとしても固定状態であるため、使い易い位置にトレーを持って来ることができないなどといった不都合があった。
【０００４】
【課題を解決するための手段】
本発明の浴室はこのような課題を解決するために案出されたものである。
而して請求項１のものは、物品を載せる移動台が浴槽の側壁外面と該側壁外面に連続した壁面の２面に跨って予め設定した移動路に沿って移動可能となしてあり、該移動路は互いに離隔して設置してある複数の水栓にまたがって設けてあることを特徴とする。
【０００５】
請求項２のものは、請求項１において、前記移動路に沿って溝が形成してあり、該溝に沿って前記移動台が移動可能となしてあることを特徴とする。
【０００６】
請求項３のものは、請求項１，２の何れかにおいて、前記移動台が洗面器台であることを特徴とする。
【０００７】
【作用及び発明の効果】
上記のように請求項１のものは、浴室内に物品を載せる移動台を設け且つこれを浴槽の側壁外面とこれに連続した壁面の２面に跨って予め設定した移動路に沿って移動可能となしたもので、本発明によれば、各種物品を移動台の上に載せて、その移動台を各種物品を使用する際に最も適した位置まで移動させることができる。
従って各種物品、例えばシャンプーや石鹸その他浴室内で使用する各種物品を、移動台に載せた状態で最も使い易い位置に位置させ、浴室内での各種作業を面倒なく楽に行えるようになる。
【０００８】
本発明の移動台は各種形態となすことができるが、これをトレーとして構成し、その上にビールやお酒或いはその他の飲み物等を置いておき、浴槽に浸かりながらそれらを楽しむことができる。
或いはまたその移動台の上にシャンプー，石鹸やボデーシャンプーその他体を洗うのに必要なものを載せておき、浴槽内で洗髪やボデー洗い等を行う際に手が簡単に届く位置までこれを移動させておくことができる。
【０００９】
またこの請求項１では移動路を互いに離隔して設置してある複数の水栓にまたがって設けており、このようにすれば、例えば移動台の上に載せた洗面器に対し何れの水栓からの注水も行い得るようになる。
【００１０】
請求項２のものは、その移動路に沿って溝を形成し、その溝に沿って移動台を移動可能となしたもので、このようにすれば移動台を簡単な構成で所定の移動路に沿って移動可能となすことができる。
尚この場合において溝自体によって移動台を保持するようになすことができる。
【００１１】
本発明においては、上記移動台を洗面器台となすことができる（請求項３）。
このようにすれば移動路に沿った任意の位置において洗面器台に洗面器を載せておくことができ、洗面器を用いた各種作業が行い易くなる。
更に洗面器を床上の所定高さ位置で移動台により支持できるため、床上に洗面器を置いて使用する場合に比べて楽な姿勢で洗面器を使用できるようになる。
【００１２】
【実施例】
次に本発明の実施例を図面に基づいて詳しく説明する。
図１及び図２において、１０は浴室の洗い場で、１２は洗い場１０に隣接して設置された浴槽である。
１４Ａ，１４Ｂ，１４Ｃ，１４Ｄは浴室の壁であって、１６は壁１４Ａと１４Ｄとの間に設けられた浴室の出入口であり、１８はその出入口１６を開閉する扉である。
【００１３】
出入口１６に対して反対側（奥側）の壁１４Ｂには、ミラー２０が取り付けられている。
更にまた浴室内部には壁１４Ｂに沿ってカウンター２２が設置されている。
【００１４】
２４は壁１４Ｂ，１４Ｃ，１４Ｄに沿って設置された手摺りである。この手摺り２４はパイプ状をなしており、実質的に壁１４Ｂの端から壁１４Ｄの端に到るまで水平に延びている。
【００１５】
本例では、浴槽１２における出入口１６とは反対側（奥側）の端部上面に第１の水栓２６が設置されている。
更に加えてこの例では、浴槽１２における出入口１６側の端部上面にも第２の水栓２８が設置されている。
ここで第１の水栓２６は洗い場水栓及び浴槽水栓兼用の水栓である。また第２の水栓２８も同様に洗い場水栓としても、また浴槽水栓としても使用可能なものである。
【００１６】
これら第１の水栓２６，第２の水栓２８は基本的に同種形態の水栓であって、水栓本体３０，シャワーヘッド３２，温調ハンドル（温度調節ハンドル）３４及び吐止水ハンドル３６をそれぞれ有している。
【００１７】
水栓本体３０にはまた、これを厚み方向に貫通する開口３８が形成されており、その開口３８によって水栓本体３０にグリップ部４０が備えられている。
尚、シャワーヘッド３２はシャワー吐水から整流吐水に若しくはその逆に切替可能なものであって、その前面に切替操作部４２（図３参照）が設けられている。
【００１８】
図３に示しているように、水栓本体３０の内部には温調ユニット（温度調節ユニット）４４及び吐止水ユニット４６が収納されており、それらが連絡管４８で連絡されている。
また温調ユニット４４には給水用，給湯用の接続口５０，５２が設けられており、それらに手摺り２４の内部に収容した給水用の配管５４（図１），給湯用の配管５６が接続可能とされている。
【００１９】
手摺り２４は浴室の壁１４Ｂの端位置から第１の水栓２６に到る第１部２４Ａと、第１の水栓２６から第２の水栓２８に到る第２部２４Ｂとから成っており、それぞれ壁１４Ｂ，１４Ｃ，１４Ｄに取付固定されている。
【００２０】
そして第１部２４Ａの内部には給水源，給湯源からの水，湯を第１の水栓２６に供給するための配管５４，５６が収容されており、更にまた第２部２４Ｂの内部には、第１部２４Ａ内の配管５４，５６に連続して、第１の水栓２６から第２の水栓２８に到る配管５４，５６がそれぞれ収容されている。
【００２１】
尚手摺り２４における第１部２４Ａ内の各配管５４，５６は、その先端部を二股状に分岐させてその一方を第１の水栓２６の接続口５０，５２に接続し、他方に別体の配管５４，５６を接続して第２部２４Ｂ内に通し或いは第１部２４Ａ内の配管５４，５６をそのまま延長させて第２部２４Ｂ内を通し、第２の水栓２８の接続口５０，５２に接続するようになすことができる。
【００２２】
図１において５８は洗面器５９を載せる洗面器台であって、溝６４により保持されている。
ここで溝６４は浴槽１２の側壁６０及びカウンター２２の前壁６２に沿って水平に連続的に延びており、洗面器台５８がこの溝６４に沿って移動可能とされている。
【００２３】
図２に示しているように、壁１４Ｂには第１の水栓２６に対応してシャワーフック６６が設けられており、また壁１４Ｄには第２の水栓２８に対応してシャワーフック６６が設けられている。
また壁１４Ｄには縦の手摺り６８が設けられている。
【００２４】
尚、図１に示しているように本例では手摺り２４Ｂの途中箇所からシャワーホース７０を外部（浴室内部）に延び出させ、その先端にシャワーヘッド３２を接続しておくことができる。
ここでシャワーホース７０は、手摺り２４における第２部２４Ｂ内部を通して第１の水栓２６に又は第２の水栓２８に接続しておくことができる。
【００２５】
本例では、浴室の出入口１６に対して奥側の第１の水栓２６に加えて、出入口１６の外から操作可能な部位に第２の水栓２８を設置してあるので、図４（Ａ）に示しているように掃除をする際などにおいて浴室の水栓を使用する必要が生じたとき、出入口１６に近い位置の第２の水栓２８を用いることで、従来のように足を濡らすことなく浴室の水栓を便利に使用できる。
【００２６】
また、図４（Ｂ）に示しているように高齢者の入浴を介助者が介助する際などにおいて、浴槽１２における出入口１６側の部位に第２の水栓２８が設置してあるため、その第２の水栓２８を使用することで介助作業を楽に行うことができる。
【００２７】
更に、第１の水栓２６から第２の水栓２８にまたがって浴室の壁１４Ｂ，１４Ｃ，１４Ｄに手摺り２４を配設し、そしてその手摺り２４に沿って内部に給水，給湯用の配管５４，５６を収納しているため、第２の水栓２８に対する給水，給湯用の配管５４，５６の施工作業を浴室内部において簡単に行うことができる。
【００２８】
また給水，給湯用の配管５４，５６が手摺り２４内部に収納されているためにそれら配管５４，５６が浴室内に露出せず、浴室内の美観を良好に保持できる。
【００２９】
併せて浴室の壁１４Ｂ，１４Ｃ，１４Ｄに手摺り２４が巡らせてあるので、その手摺り２４を掴むことによって浴槽１２内等での姿勢保持を容易に行うことができ、更に介助者による介助作業も容易に行うことができる。
【００３０】
本例ではまた、溝６４を浴槽１２の側壁６０外面及びカウンター２２の前壁６２に沿って水平に延設して洗面器台５８をその溝６４に沿って移動可能となしているので、第１の水栓２６を使用する場合及び第２の水栓２８を使用する場合の何れにおいても、洗面器台５８をそれら水栓の直下に位置させ、その洗面器台５８上に載せた洗面器５９に対して第１の水栓２６からの注水及び第２の水栓２８からの注水の何れをも行うことができる。従って第１の水栓２６及び第２の水栓２８の何れを使用する場合にもその直下で洗面器５９を洗面器台５８で受けて使用することができ、水栓ないし洗面器５９を使用しての作業を容易に行うことができる。また溝６４は水平に連続的に設けてあるため、他の箇所において洗面器５９を用いる場合にも、そこの位置に洗面器台５８を持ち来して洗面器５９を最も近い位置で使用することが可能となる。
【００３１】
以上本発明の実施例を詳述したがこれはあくまで一例示である。
例えば本発明においては、上記洗面器台５８に代えてトレーを移動可能に設けておくことも可能である。
【００３２】
このように洗面器台５８に代えてトレーを移動可能に設けた場合においても、各種物品をトレーの上に載せて、そのトレーを各種物品を使用する際に最も適した位置まで移動させておくことができる。
従ってトレー上に載せた各種物品、例えばシャンプーや石鹸その他浴室内で使用する各種物品を最も使い易い位置に位置させておくことができるため、浴室内での各種作業を面倒なく楽に行えるようになる。
【００３３】
本発明においてはまた、移動台を上記洗面器台５８，トレー以外の各種形態で構成することが可能であるなど、その主旨を逸脱しない範囲において種々変更を加えた形態で構成可能である。
【図面の簡単な説明】
【図１】  本発明の一実施例である浴室の内部を示す斜視図である。
【図２】  同実施例の浴室内部を上方から見た斜視図である。
【図３】  図１における水栓を詳しく示す図である。
【図４】  同実施例の浴室の利点の説明図である。
【符号の説明】
１２  浴槽
２６  第１の水栓
２８  第２の水栓
５８  洗面器台（移動台）
６０  側壁
６４  溝（移動路）
【図１】
0004170572.tif 000002
【図２】
0004170572.tif 000003
【図３】
0004170572.tif 000004
【図４】
0004170572.tif 000005